(57)【特許請求の範囲】
【請求項１】
シート部を有するシート部材と、
前記シート部材の内壁面に対向する端面を有し、該端面と前記シート部材の前記内壁面との間に第１の隙間が形成されるばね受け部材と、
前記ばね受け部材と前記シート部との間に形成されたバルブ部材と、
前記ばね受け部材を前記端面と反対側から前記シート部の側に押し付けることで前記バルブ部材を前記シート部に押し付けるばね部材と、を備え、
前記ばね受け部材は、一端に前記端面が形成され他端に前記ばね部材を受けるばね受け面が形成された円盤形状部を有し、
前記ばね受け部材の前記端面は前記バルブ部材の重心よりも前記シート部の側に配置され、
前記円盤形状部の外周面は、全周に亘って、前記端面と前記ばね受け面との間の、前記ばね部材の移動方向に沿う形状が直線状を成し、
前記シート部材の内周面は、全周に亘って、前記バルブ部材が閉弁した状態において前記円盤形状部の前記外周面と対向する部位の、前記ばね部材の移動方向に沿う形状が直線状を成し、
前記ばね受け部材と前記シート部材の前記内周面との対面部位において、前記円盤形状部の前記外周面と前記シート部材の前記内周面との間に形成される径方向の第２の隙間によって絞り部が構成され、
前記ばね受け部材の前記端面及び該端面に対向する前記シート部材の前記内壁面は、前記バルブ部材の最外周部から径方向外側において、それぞれが平面を成して対向して前記第１の隙間を形成することを特徴とするバルブ機構。
【請求項２】
請求項１に記載のバルブ機構において、
前記ばね受け部材の前記端面と前記シート部材の前記内壁面との間の前記第１の隙間は０．４ｍｍ以下に形成されることを特徴とするバルブ機構。
【請求項３】
請求項１に記載のバルブ機構において、
前記バルブ部材がボールバルブであり、前記ばね受け部材の前記端面は前記ボールバルブの中心よりも前記シート部の側に配置されることを特徴とするバルブ機構。
【請求項４】
請求項１に記載のバルブ機構において、
前記バルブ部材がボールバルブであり、前記ボールバルブの最も前記ばね受け部材に近い部位を前記ボールバルブの最外周部とする場合に、前記ばね受け部材の前記端面が前記ボールバルブの前記最外周部より前記シート部の側に位置することを特徴とするバルブ機構。
【請求項５】
請求項１に記載のバルブ機構において、
前記バルブ部材と前記ばね受け部材とは別体であり、前記ばね受け部材は、前記ばね部材の移動方向において前記バルブ部材の半径より大きく重なるように配置されることを特徴とするバルブ機構。
【請求項６】
請求項１に記載のバルブ機構において、
前記バルブ部材と前記ばね受け部材とは別体であり、前記ばね受け部材の内周面部の前記バルブ部材との対面部位に、前記バルブ部材を案内するバルブガイド部が形成されることを特徴とするバルブ機構。
【請求項７】
請求項６に記載のバルブ機構において、
前記バルブガイド部は前記ばね部材の移動方向と略平行な直線部を有することを特徴とするバルブ機構。
【請求項８】
請求項７に記載のバルブ機構において、
前記バルブガイド部は、前記直線部から前記シート部と反対側の中央側に傾斜する傾斜部を有することを特徴とするバルブ機構。
【請求項９】
シート部を有するシート部材と、
前記シート部と接触、又は離間するバルブ部材と、
前記シート部材の内壁面と対向する端面を有し、該端面と前記シート部材の前記内壁面との間に第１の隙間が形成され、前記バルブ部材を保持するバルブ保持部材と、
前記端面と反対側から前記バルブ保持部材を前記シート部の側に押し付けることで前記バルブ部材を前記シート部に押し付けるばね部材と、を備え、
前記バルブ保持部材は、一端に前記端面が形成され他端に前記ばね部材を受けるばね受け面が形成された円盤形状部と、内周面部の前記バルブ部材との対面部位に構成され前記バルブ部材を案内するバルブガイド部と、を有し、
前記円盤形状部の外周面は、前記端面と前記ばね受け面との間の、前記ばね部材の移動方向に沿う形状が前記外周面の全周に亘って直線状を成し、
前記シート部材の内周面は、前記バルブ部材が閉弁した状態において前記円盤形状部の前記外周面と対向する部位の、前記ばね部材の移動方向に沿う形状が前記内周面の全周に亘って直線状を成し、
前記バルブ保持部材と前記シート部材の前記内周面との対面部位において、前記円盤形状部の前記外周面と前記シート部材の前記内周面との間に形成される径方向の第２の隙間によって絞り部が構成され、
前記バルブ保持部材の前記端面及び該端面に対向する前記シート部材の前記内壁面は、前記バルブガイド部が構成される前記バルブ保持部材の前記内周面部から径方向外側において、それぞれが平面を成して対向して前記第１の隙間を形成することを特徴とするバルブ機構。
【請求項１０】
請求項９に記載のバルブ機構において、
前記バルブガイド部は前記ばね部材の移動方向と略平行な直線部を有することを特徴とするバルブ機構。
【請求項１１】
請求項１０に記載のバルブ機構において、
前記バルブガイド部は、前記直線部から前記シート部と反対側の中央側に傾斜する傾斜部を有することを特徴とするバルブ機構。
【請求項１２】
請求項９に記載のバルブ機構において、
前記バルブ保持部材の端面は前記バルブ部材の重心よりも前記シート部の側に配置されることを特徴とするバルブ機構。
【請求項１３】
請求項９に記載のバルブ機構において、
前記バルブ保持部材の前記端面と前記シート部材の前記内壁面との間の隙間は０．４ｍｍ以下に形成されることを特徴とするバルブ機構。
【請求項１４】
請求項９に記載のバルブ機構において、
前記バルブ保持部材の外周面と前記シート部材の内周面との径方向の前記第２の隙間は０．００５ｍｍ以上０．２ｍｍ以下に形成されることを特徴とするバルブ機構。
【請求項１５】
請求項９に記載のバルブ機構において、
前記バルブガイド部は前記ばね部材の移動方向と沿うように略円筒部が形成されることを特徴とするバルブ機構。
【請求項１６】
プランジャにより加圧される加圧室と、
前記加圧室の吸入側に配置される吸入弁機構と、
前記加圧室の吐出側に配置される吐出弁機構と、
前記吐出弁機構の吐出側の吐出流路の燃料の圧力が所定値以上になった場合に、前記吐出流路の燃料を前記加圧室に、又は低圧燃料流路に戻すリリーフ弁機構と、を備えた高圧燃料供給ポンプにおいて、
前記リリーフ弁機構に請求項６、９の何れかに記載のバルブ機構が用いられたことを特徴とする高圧燃料供給ポンプ。
【請求項１７】
請求項１６に記載の高圧燃料供給ポンプにおいて、
前記バルブガイド部は前記加圧室と、前記吐出流路との間に配置されることを特徴とする高圧燃料供給ポンプ。
【請求項１８】
請求項１６に記載の高圧燃料供給ポンプにおいて、
前記バルブガイド部は前記ばね部材の移動方向と沿うように略円筒部が形成されることを特徴とする高圧燃料供給ポンプ。
【発明の詳細な説明】
【技術分野】
【０００１】
本発明は、バルブ機構、及びこれを備え、内燃機関の燃料噴射弁に燃料を圧送する高圧燃料供給ポンプに関する。特には、吐出する燃料の量を調節する電磁吸入弁としてのバルブ機構を備えた高圧燃料供給ポンプに関する。
【背景技術】
【０００２】
自動車等の内燃機関の内、燃焼室へ直接的に燃料を燃焼室内部へ噴射する直接噴射タイプにおいて、燃料を高圧化し所望の燃料流量を吐出する電磁吸入弁を備えた高圧燃料供給ポンプが広く用いられている。【０００３】
特許５１０３１３８号公報においては、高圧燃料供給ポンプにおいて燃料圧力が異常高圧となった場合に、その異常高圧燃料をリリーフするリリーフバルブを備え、高圧燃料供給ポンプその他の部品の破損を防ぐと同時に、外部への燃料漏れを防ぐ役目を果たす。【０００４】
また特許文献２においては、リリーフバルブの出口を高圧燃料供給ポンプの加圧室とすることが開示されている。
【先行技術文献】
【特許文献】
【０００５】
【特許文献１】特許第５１０３１３８号公報
【特許文献２】特許第４４８８４８６号公報
【発明の概要】
【発明が解決しようとする課題】
【０００６】
リリーフバルブは、高圧燃料供給ポンプの故障等により発生した異常高圧をリリーフする機能を有する。リリーフバルブのバルブにはボールを用いており、このボールバルブをリリーフシートにリリーフばねの荷重によって押し付ける構造である。リリーフバルブの開弁圧力はリリーフばねの荷重によって調整し、使用最大燃料圧力よりも高く設定されている。高圧燃料の圧力がこのセット圧力を超過すると、リリーフバルブが開弁し異常高圧燃料を低圧側へ開放するが、このときボールバルブとリリーフシート間の隙間が非常に狭く燃料通路断面積が小さいので、この部分が絞り（オリフィス）になってしまい、異常高圧となった燃料圧力を十分に低い圧力に開放することが出来なかった。【０００７】
そのため、ボールバルブにリリーフばねのばね荷重を伝達するボールホルダの外周側面と、その外周に位置する部材との隙間を非常に小さくして、リリーフバルブ内のボールバルブより下流側に、絞り（オリフィス）を設ける構造とすることが考えられる。【０００８】
これにより、ボールホルダとリリーフシートの間の中間室の圧力が低圧側よりも高くなり、ボールホルダとボールバルブを大きなストロークで移動さることが出来る。すると、ボールバルブとリリーフシート間の隙間を大きく開放することが可能となり、この部分の燃料通路断面積を大きく確保できるので、これにより、この部分の絞り（オリフィス）効果により異常高圧となった燃料を十分に低い圧力に開放することが出来る。【０００９】
しかしながら、この構造には、次のような問題がある。  
高圧配管の圧力がリリーフバルブの開弁圧よりも上昇するとリリーフバルブが開弁する。この場合、前述の通り中間室の圧力が低圧側より高くなりボールホルダとボールバルブを大きなストロークで移動し、異常高圧燃料を低圧側に開放する。つまり、リリーフバルブは一度開弁すると中間室の圧力が低圧側より高いために、大きく開弁した状態となり、その状態が維持される。さらに、実際の高圧配管においては、高圧燃料供給ポンプの運動による圧力脈動が発生する。高圧側の燃料が正常圧力に調圧されても（圧力脈動の平均値が正常圧力に調圧されても）、この圧力脈動のピーク値がリリーフバルブの開弁圧力よりも高くなると、リリーフバルブは開弁状態を維持し、高圧配管燃料を低圧側に開放してしまう。その結果、通常の高圧吐出が出来ないと言う問題がある。【００１０】
さらには、リリーフバルブの開弁圧力を高圧配管のピーク圧力よりも高くすれば良いが、燃料配管内の圧力脈動は＋／−１０ＭＰａ程度と大きく、リリーフバルブの開弁圧力は使用最大燃料圧力よりも１０ＭＰａ以上高く設定しなくてはならない。すると、高圧燃料供給ポンプや高圧配管の耐圧性を、使用最大燃料圧力＋１０ＭＰａ以上に設計する必要があり、高圧燃料供給ポンプは高圧配管のコストが高くなるといった問題がある。【００１１】
また、特許文献２に記載のリリーフバルブの出口を高圧燃料供給ポンプの加圧室とすると、加圧室内で発生した圧力脈動のピークが同じ値で高圧配管に波及するので、圧力脈動のピーク値はリリーフバルブの入口と出口に等しく負荷されることになる。これにより高圧配管内の圧力脈動ピーク値によってリリーフバルブが開いてしまうと言う問題は解決できたが、次のような問題がある。【００１２】
高圧燃料供給ポンプにおいては、正常動作において加圧室内の燃料圧力は低圧（０．数ＭＰａ）と高圧（数十ＭＰａ）を交互に繰り返し、中間室は加圧室に液圧的に接続されているので、中間室内の圧力も加圧室と同じタイミングで低圧と高圧を繰り返す。ここで、中間室の圧力が高圧から低圧に移行するときには、ボールホルダの外周側面とその外周に位置する部材との隙間を非常に小さくすることで設けた絞り（オリフィス）の影響で、中間室内の圧力低下速度が加圧室内の圧力低下速度よりも遅くなった。【００１３】
その結果、加圧室内の圧力が中間室内の圧力よりも小さくなり、その差圧によってリリーフバルブが予期しないタイミングで開弁してしまうという問題があった。上述のタイミングでリリーフバルブが開弁してしまうと、高圧配管の燃料圧力が開放されてしまい、燃料の正常な高圧吐出が不可能になってしまう。【００１４】
そこで本発明は、燃料の正常な高圧吐出を可能しつつ、高圧配管の燃料圧力が異常圧力となった場合にリリーフバルブが正常に動作するバルブ機構、及びこれを備えた高圧燃料供給ポンプの信頼性を向上させることを目的とする。
【課題を解決するための手段】
【００１５】
上記目的を達成するために本発明のバルブ機構は、
「シート部を有するシート部材と、  前記シート部材の内壁面に対向する端面を有し、該端面と前記シート部材の前記内壁面との間に第１の隙間が形成されるばね受け部材と、  前記ばね受け部材と前記シート部との間に形成されたバルブ部材と、  前記ばね受け部材を前記端面と反対側から前記シート部の側に押し付けることで前記バルブ部材を前記シート部に押し付けるばね部材と、を備え、  前記ばね受け部材は、一端に前記端面が形成され他端に前記ばね部材を受けるばね受け面が形成された円盤形状部を有し、  前記ばね受け部材の前記端面は前記バルブ部材の重心よりも前記シート部の側に配置され、  前記円盤形状部の外周面は、前記端面と前記ばね受け面との間の、前記ばね部材の移動方向に沿う形状が前記外周面の全周に亘って直線状を成し、  前記シート部材の内周面は、前記バルブ部材が閉弁した状態において前記円盤形状部の前記外周面と対向する部位の、前記ばね部材の移動方向に沿う形状が前記内周面の全周に亘って直線状を成し、  前記ばね受け部材と前記シート部材の前記内周面との対面部位において、前記円盤形状部の前記外周面と前記シート部材の前記内周面との間に形成される径方向の第２の隙間によって絞り部が構成され、  前記ばね受け部材の前記端面及び該端面に対向する前記シート部材の前記内壁面は、前記バルブ部材の最外周部から径方向外側において、それぞれが平面を成して対向して前記第１の隙間を形成すること」を特徴とするものである。
【発明の効果】
【００１６】
本発明によれば、燃料の正常な高圧吐出を可能しつつ、高圧配管の燃料圧力が異常圧力となった場合にリリーフバルブが正常に動作するバルブ機構、及びこれを備えた高圧燃料供給ポンプの信頼性を向上させることが可能となる。  
本発明のその他の構成、作用、効果については以下の実施例において詳細に説明する。
【図面の簡単な説明】
【００１７】
【図１】本発明の第一実施例による高圧燃料供給ポンプの縦断面図である。
【図２】本発明の第一実施例による高圧燃料供給ポンプの別の縦断面図である。
【図３】本発明の第一実施例による高圧燃料供給ポンプの横断面図である。
【図４】本発明の第一実施例による高圧燃料供給ポンプの電磁吸入弁の拡大縦断面図であり、電磁吸入弁が開弁状態にある状態を示す。
【図５】本発明の第一実施例による高圧燃料供給ポンプのリリーフバルブの拡大断面図であり、リリーフバルブの閉弁状態を示す。
【図６】本発明の第一実施例による高圧燃料供給ポンプのリリーフバルブの拡大断面図であり、リリーフバルブの開弁状態を示す。
【図７】本発明の第一実施例による高圧燃料供給ポンプの各部位での圧力状態を示すグラフである。
【図８】本発明の第一実施例による高圧燃料供給ポンプを含む燃料供給システム図の一例である。
【図９】本発明の第二実施例による高圧燃料供給ポンプのリリーフバルブの拡大断面図であり、リリーフバルブの閉弁状態を示す。
【図１０】本発明の第三実施例による高圧燃料供給ポンプのリリーフバルブの拡大断面図であり、リリーフバルブの閉弁状態を示す。
【発明を実施するための形態】
【００１８】
以下、本発明の実施例について図面を用いて詳細に説明する。
【実施例１】
【００１９】
まず本発明の実施例１について図面を用いて詳細に説明する。【００２０】
図８に示すシステムの全体構成図を用いてシステムの構成と動作を説明する。
破線で囲まれた部分が高圧燃料供給ポンプ（以下、高圧ポンプと呼ぶ）本体を示し、この破線の中に示されている機構・部品はポンプ本体１に一体に組み込まれていることを示す。【００２１】
燃料タンク２０の燃料は、エンジンコントロールユニット２７（以下ＥＣＵと称す）からの信号に基づきフィードポンプ２１によって汲み上げられる。この燃料は適切なフィード圧力に加圧されて吸入配管２８を通して高圧ポンプの低圧燃料吸入口１０ａに送られる。【００２２】
低圧燃料吸入口１０ａから吸入ジョイント５１を通過した燃料は圧力脈動低減機構９、吸入通路１０ｄを介して容量可変機構を構成する電磁吸入弁３００の吸入ポート３１ｂに至る。【００２３】
電磁吸入弁３００に流入した燃料は、吸入弁３０を通過し加圧室１１に流入する。エンジンのカム機構９３によりプランジャ２に往復運動する動力が与えられる。プランジャ２の往復運動により、プランジャ２の下降行程には吸入弁３０から燃料を吸入し、上昇行程には、燃料が加圧される。吐出弁機構８を介し、圧力センサ２６が装着されているコモンレール２３へ燃料が圧送される。そしてＥＣＵ２７からの信号に基づきインジェクタ２４がエンジンへ燃料を噴射する。【００２４】
高圧ポンプは、ＥＣＵ２７から電磁吸入弁３００への信号により、所望の供給燃料となるよう燃料流量を吐出する。【００２５】
図１、図２、図３及び図４を用いて高圧ポンプの構成及び動作について述べる。  
本実施例の高圧ポンプはポンプ本体１に設けられた取付けフランジ１ｅを用い内燃機関のシリンダヘッド９０の平面に密着し、複数のボルト９１で固定される。取付けフランジ１ｅは溶接部１ｆにてポンプ本体１に全周を溶接結合されて環状固定部を形成している。本実施例では、レーザー溶接を用いている。【００２６】
シリンダヘッド９０とポンプ本体１との間のシールのためにＯリング６１がポンプ本体１に嵌め込まれ、エンジンオイルが外部に漏れるのを防止する。【００２７】
ポンプ本体１にはプランジャ２の往復運動をガイドし、かつ内部に加圧室１１を形成するよう端部が有底筒型状に形成されたシリンダ６が取り付けられている。また燃料を加圧室１１に供給するための電磁吸入弁３００と加圧室１１から吐出通路に燃料を吐出するための吐出弁機構８が設けられている。そして加圧室１１と電磁吸入弁３００、又は吐出弁機構８とを連通する環状の溝６ａが加圧室１１の外周側に設けられている。さらに環状の溝６ａと加圧室１１とを連通する複数個の連通穴６ｂが設けられている。【００２８】
シリンダ６はその外周側において、ポンプ本体１と圧入により固定される。円筒状の圧入部の表面によりポンプ本体１との隙間から加圧した燃料が低圧側に漏れないようシールしている。ここで、シリンダ６の加圧室側の外周部に小径部６ｃを有している。加圧室１１の燃料が加圧されることにより、低圧脈動低減機構９の下面側低圧燃料室１０ｃの側に向かってシリンダ６の力が作用する。しかし、ポンプ本体１にも小径部１ａを設けているため、シリンダ６が低圧燃料室１０ｃ側に抜けることを防止している。シリンダ６の小径部６ｃとポンプ本体１の小径部１ａとを軸方向に平面に接触させることで、ポンプ本体１とシリンダ６との円筒状の圧入部のシールに加え、二重のシールの機能をも果たす。【００２９】
プランジャ２の下端には、内燃機関のカムシャフトに取り付けられたカム９３の回転運動を上下運動に変換し、プランジャ２に伝達するタペット９２が設けられている。プランジャ２はリテーナ１５を介してばね４にてタペット９２に圧着されている。これによりカム９３の回転運動に伴い、プランジャ２を上下に往復運動させることができる。【００３０】
また、シールホルダ７の内周下端部に保持されたプランジャシール１３がシリンダ６の図中下方部においてプランジャ２の外周に摺動可能に接触する状態で設置されている。これにより、プランジャ２が摺動したとき、副室７ａの燃料をシールし内燃機関内部へ流入するのを防ぐ。同時に内燃機関内の摺動部を潤滑する潤滑油（エンジンオイルも含む）がポンプ本体１の内部に流入するのを防止する。【００３１】
ポンプ本体１には吸入ジョイント５１が取り付けられている。吸入ジョイント５１は、車両の燃料タンク２０からの燃料を供給する低圧配管に接続されており、燃料はここから高圧ポンプ内部に供給される。吸入ジョイント５１内の吸入フィルタ５２は、燃料タンク２０から低圧燃料吸入口１０ａまでの間に存在する異物を燃料の流れによって高圧燃料供給ポンプ内に吸収することを防ぐ役目がある。【００３２】
低圧燃料吸入口１０ａを通過した燃料は、圧力脈動低減機構９、低圧燃料流路１０ｄを介して電磁吸入弁３００の吸入ポート３１ｂに至る。【００３３】
加圧室１１の出口に設けられた吐出弁機構８は、吐出弁シート８ａ、吐出弁シート８ａと接離する吐出弁８ｂ、吐出弁８ｂを吐出弁シート８ａに向かって付勢する吐出弁ばね８ｃ、吐出弁８ｂのストローク（移動距離）を決めるストッパ８ｄから構成される。吐出弁ストッパ８ｄとポンプ本体１は当接部８ｅで溶接により接合され燃料と外部を遮断している。【００３４】
加圧室１１と吐出弁室１２ａに燃料差圧が無い状態では、吐出弁８ｂは吐出弁ばね８ｃによる付勢力で吐出弁シート８ａに圧着され閉弁状態となっている。加圧室１１の燃料圧力が、吐出弁室１２ａの燃料圧力よりも大きくなった時に初めて、吐出弁８ｂは吐出弁ばね８ｃに逆らって開弁する。そして、加圧室１１内の高圧の燃料は吐出弁室１２ａ、燃料吐出通路１２ｂ、燃料吐出口１２を経てコモンレール２３へと吐出される。吐出弁８ｂは開弁した際、吐出弁ストッパ８ｄと接触し、ストロークが制限される。したがって、吐出弁８ｂのストロークは吐出弁ストッパ８ｄによって適切に決定される。これによりストロークが大きすぎて、吐出弁８ｂの閉じ遅れにより、吐出弁室１２ａへ高圧吐出された燃料が、再び加圧室１１内に逆流してしまうのを防止でき、高圧ポンプの効率低下が抑制できる。また、吐出弁８ｂが開弁および閉弁運動を繰り返す時に、吐出弁８ｂがストローク方向にのみ運動するように、吐出弁ストッパ８ｄの外周面にてガイドしている。以上のようにすることで、吐出弁機構８は燃料の流通方向を制限する逆止弁となる。【００３５】
以上に説明したように、加圧室１１は、ポンプハウジング１、電磁吸入弁３００、プランジャ２、シリンダ６、吐出弁機構８にて構成される。【００３６】
カム９３の回転により、プランジャ２がカム９３の方向に移動して吸入行程状態にある時は、加圧室１１の容積は増加し加圧室１１内の燃料圧力が低下する。この行程で加圧室１１内の燃料圧力が吸入通路１０ｄの圧力よりも低くなると、吸入弁３０は開口状態にある。そのため燃料は開口部３０ｅを通り、ポンプ本体１に設けられた連通穴１ａと、シリンダ６の溝６ａ、連通孔６ｂを通過し、加圧室１１に流入する。【００３７】
プランジャ２が吸入行程を終了した後、プランジャ２が上昇運動に転じ圧縮行程に移る。ここで電磁コイル４３は無通電状態を維持したままであり磁気付勢力は作用しない。ロッド付勢ばね４０は、無通電状態において吸入弁３０を開弁維持するのに必要十分な付勢力を有するよう設定されている。本実施例ではいわゆるノーマルオープン式の高圧ポンプを示しているが、本発明はこれに限定される訳ではなく、ノーマルクローズ式の高圧ポンプにも適用可能である。加圧室１１の容積は、プランジャ２の圧縮運動に伴い減少するが、この状態では、一度、加圧室１１に吸入された燃料が、再び開弁状態の吸入弁３０の開口部３０ｅを通して吸入通路１０ｄへと戻されるので、加圧室の圧力が上昇することは無い。この行程を戻し行程と称する。【００３８】
この状態で、エンジンコントロールユニット２７（以下ＥＣＵと呼ぶ）からの制御信号が電磁吸入弁３００に印加されると、電磁コイル４３には端子４６を介して電流が流れる。すると、磁気付勢力がロッド付勢ばね４０の付勢力に打ち勝ってロッド３５が吸入弁３０から離れる方向に移動する。よって、吸入弁付勢ばね３３による付勢力と燃料が吸入通路１０ｄに流れ込むことによる流体力により吸入弁３０が閉弁する。閉弁後、加圧室１１の燃料圧力はプランジャ２の上昇運動と共に上昇し、燃料吐出口１２の圧力以上になると、吐出弁機構８を介して高圧燃料の吐出が行われ、コモンレール２３へと供給される。この行程を吐出行程と称する。【００３９】
すなわち、プランジャ２の圧縮行程（下始点から上始点までの間の上昇行程）は、戻し行程と吐出行程からなる。そして、電磁吸入弁３００のコイル４３への通電タイミングを制御することで、吐出される高圧燃料の量を制御することができる。電磁コイル４３へ通電するタイミングを早くすれば、圧縮行程中の、戻し行程の割合が小さく、吐出行程の割合が大きい。すなわち、吸入通路１０ｄに戻される燃料が少なく、高圧吐出される燃料は多くなる。一方、通電するタイミングを遅くすれば圧縮行程中の、戻し行程の割合が大きく吐出行程の割合が小さい。すなわち、吸入通路１０ｄに戻される燃料が多く、高圧吐出される燃料は少なくなる。電磁コイル４３への通電タイミングは、ＥＣＵ２７からの指令によって制御される。
以上のように電磁コイル４３への通電タイミングを制御することで、高圧吐出される燃料の量を内燃機関が必要とする量に制御することが出来る。【００４０】
低圧燃料室１０には高圧ポンプ内で発生した圧力脈動が燃料配管２８へ波及するのを低減減させる圧力脈動低減機構９が設置されている。一度加圧室１１に流入した燃料が、容量制御のため再び開弁状態の吸入弁体３０を通して吸入通路１０ｄへと戻される場合、吸入通路１０ｄへ戻された燃料により低圧燃料室１０には圧力脈動が発生する。しかし、低圧燃料室１０に設けた圧力脈動低減機構９は、波板状の円盤型金属板２枚をその外周で張り合わせ、内部にアルゴンのような不活性ガスを注入した金属ダイアフラムダンパで形成されており、圧力脈動はこの金属ダンパが膨張・収縮することで吸収低減される。９ｂは金属ダンパをポンプ本体１の内周部に固定するための取付金具であり、燃料通路上に設置されるため、複数の穴を設け前記取付金具９ｂの表裏に流体が自由に行き来できるようにしている。【００４１】
プランジャ２は、大径部２ａと小径部２ｂを有し、プランジャの往復運動によって副室７ａの体積は増減する。副室７ａは燃料通路１０ｅにより低圧燃料室１０と連通している。プランジャ２の下降時は、副室７ａから低圧燃料室１０へ、上昇時は、低圧燃料室１０から副室７ａへと燃料の流れが発生する。【００４２】
このことにより、ポンプの吸入行程もしくは、戻し行程におけるポンプ内外への燃料流量を低減することができ、高圧ポンプ内部で発生する圧力脈動を低減する機能を有している。【００４３】
次に、図５、図６および図７を用いて本実施例のリリーフバルブを詳述する。  
図５はリリーフバルブ２００の閉弁状態を示し、図６はリリーフバルブ２００の開弁状態を示す。図７はリリーフバルブ２００周辺の各部位の圧力の状態を示す。  
リリーフ弁２００はリリーフボディ２０１、バルブ部材２０２、バルブホルダ２０３、リリーフばね２０４、ばねストッパ２０５からなる。リリーフボディ２０１には、テーパー形状のシート部２０１ａ設けられている。バルブ部材２０２はリリーフばね２０４の荷重がバルブホルダ２０３を介して負荷され、シート部２０１ａに押圧され、シート部２０１ａと協働して燃料を遮断している。【００４４】
バルブ部材２０２の開弁圧力はリリーフばね２０４の荷重によって決定せられる。ばねストッパ２０５はリリーフボディ２０１に圧入固定されており、圧入固定の位置によってリリーフばね２０４の荷重を調整する機構である。バルブホルダ２０３の最外周とリリーフボディ２０１の内週の隙間２１１は燃料が通過する際に絞り効果が発生する程度に小さい。具体的には０．００５〜０．２ｍｍ程度である。バルブホルダ２０３、リリーフボディ２０１とバルブ部材２０２の３部品で囲まれた空間を中間室２１０、リリーフばね２０４が収容されている空間をリリーフばね室２１２と称する。リリーフばね室２１２はリリーフ通路２１３を介して加圧室１１に接続している。【００４５】
バルブホルダ２０３は図５に示すようにバルブホルダ２０３からシート部２０１ａと反対側に突出する突出部とから構成される。ばねストッパ２０５はこの突出部が内周側に挿入される穴が形成されている。またバルブホルダ２０３のバルブ保持部は、円盤形状、あるいは円筒形状に形成され、その内周側においてバルブ２０２を保持する。吐出ジョイント６０はポンプ本体１に溶接部６１にて溶接固定され燃料通路を確保している。【００４６】
高圧燃料供給ポンプが正常に作動している場合、加圧室１１によって加圧された燃料は燃料吐出通路１２ｂを通過して燃料吐出口１２から高圧吐出される。このとき、リリーフバルブ２００の周りの圧力状態を示した図が図７である。【００４７】
本実施例では、コモンレール２３の目標燃料圧力は１４．５ＭＰａである。コモンレール２３内の圧力は時間とともに脈動を繰り返すが平均値が１４．５ＭＰａである。【００４８】
加圧行程の開始直後に加圧室１１内の圧力は急上昇してコモンレール２３内の圧力よりも上昇して本実施例ではピーク値で約２３ＭＰａまで上昇する。それに伴い燃料吐出口１２の圧力も上昇して本実施例ではピークで２１．５ＭＰａ程度まで上昇する。中間室２１０と隙間２１１、リリーフバネ室２１２、リリーフ通路２１３、および加圧室１１は液圧的に接続している。そのため、中間室２１０およびリリーフばね室２１２の圧力は加圧室１１内の圧力と同程度となっており、本実施例ではピークで２１．５ＭＰａ程度である。【００４９】
リリーフバルブ２００の開弁圧力は本実施例では１９ＭＰａにセットされており、リリーフバルブ２００の入り口である燃料吐出口１２の圧力は開弁圧力を超えるがリリーフバルブ２００は開弁しない。それは、中間室２１０およびリリーフばね室２１２の圧力もリリーフバルブ２００の開弁圧力を超え、バルブ部材２０２の入り口圧力と出口圧力の差が開弁圧力１９．５ＭＰａ以下であるからである。【００５０】
以上の様に中間室２１０と加圧室１１を液圧的に接続することで、吐出行程直後に燃料吐出口１２内で発生するピーク圧力によってリリーフバルブ２００が開弁してしまう問題を解決することが出来た。【００５１】
加圧行程から吸入行程に移行すると、加圧室１１内の圧力は低圧（０．５ＭＰａ程度）となり、燃料吐出口１２の圧力はコモンレール２３内の圧力と同程度まで低下する。この時も、バルブ部材２０２の入り口圧力と出口圧力の差が開弁圧力１９．５ＭＰａ以下であるからリリーフバルブ２００は開弁しない。【００５２】
次に、異常高圧燃料が発生した場合について述べる。  
高圧燃料供給ポンプの電磁吸入弁３００の故障等により、燃料吐出口１２の圧力が異常に高圧になった場合は、リリーフバルブ２００により異常高圧をリリーフする。  
吸入工程、及び戻し工程においては加圧室１１内の圧力は０．５ＭＰａ程度であり、リリーフバルブ２００の開弁圧力は１９ＭＰａであるから、燃料吐出口１２の圧力が１９．５ＭＰａ以上になるとリリーフバルブ２００の入り口と出口の圧力差が１９ＭＰａを超えてリリーフバルブ２００が開弁（バルブ部材２０２がシート部２０１ａより離座）して異常高圧を加圧室１１へと逃がす。【００５３】
吐出行程においては、前述のごとく加圧室１１の圧力は上昇するので、リーフバルブ２００の入り口と出口の圧力差が１９ＭＰａを超えず、リリーフバルブ２００が開弁しない。よって、吐出行程ではリリーフバルブ２００は異常高圧を開放することが出来ない。そのため、吸入行程、戻し行程において異常高圧をリリーフしても加圧行程において再び燃料吐出口１２の圧力が上昇してしまい、高圧燃料供給ポンプや高圧配管の剛性確保できない、または難しいと言う問題があった。【００５４】
この問題を解決するために、本実施例においてはバルブホルダ２０３（ばね受け部材）の外周面とシート部材であるリリーフボディ２０１の内周面との対面部位に隙間２１１として絞り部を設けた。前述の如く、バルブホルダ２０３の最外周とリリーフボディ２０１の内週の隙間２１１は燃料が通過する際に絞り効果が発生する程度に小さく、具体的にはばね受け部材（バルブホルダ２０３）の外周面とシート部材であるリリーフボディ２０１の内周面との外周方向の隙間は０．００５〜０．２ｍｍ以下に形成される程度である。吸入行程、戻し行程において、リリーフバルブ２００は開弁して異常高圧を開放することは前述の通りである。バルブ部材２０２がシート部２０１ａより離座して燃料吐出口１２の異常高圧燃料が中間室２１０に流入する。【００５５】
この時、バルブ部材２０２はリリーフばね２０４の荷重を受けているから、バルブ部材２０２がシート部２０１ａより離座するがそのストロークは非常に小さい。中間室２１０に流入した燃料は隙間２１１を通ってリリーフばね室２１２、リリーフ通路２１３を通って加圧室１１へと開放される。この時、隙間２１１で絞り効果が発生し中間室２１０の圧力が、リリーフばね室２１２、リリーフ通路２１３および加圧室１１よりも高くなり、バルブホルダ２０３には図中左方向力が働く。すなわち、バルブ部材２０２とバルブホルダ２０３に負荷される力を列記すると下記の通りである。【００５６】
（１）リリーフばね２０４による力  ：  閉弁方向
（２）燃料吐出口１２と中間室２１０の差圧による力  ：  開弁方向
（３）中間室２１０とリリーフばね室２１２の差圧による力  ：  開弁方向
そして、以下の関係が成立するとバルブ部材２０２、バルブホルダ２０３は大きく開弁方向に移動する。
(1)  ＜  （２）  ＋  （３）
バルブホルダ２０３がポンプ本体のストッパ部２１４に接触すると開弁運動を止める。このようにして本実施例のリリーフばね２０４は密着しないように設計されているものである。リリーフばね２０４が密着してしまうと、リリーフばね室２１２からリリーフ通路２１３に燃料が開放されないので、異常高圧を開放できない。【００５７】
さらに、吸入行程または戻し行程から加圧行程に移行した直後には、バルブ部材２０２はシート部２０１ａより大きく離座した状態である。よって、バルブ部材２０２が閉弁運動によってシート部２０１ａに着座しリリーフバルブ２００が閉弁するより前に、加圧行程が終了して次の吸入工程が始まり、バルブ部材２０２は再びシート部２０１ａより大きく離座した状態となる。結果的に、リリーフバルブ２００は常に開弁状態を保ち、更にバルブ部材２０２はシート部２０１ａより大きく離座した状態であるため、この部分での絞り効果は少ない、または無い。【００５８】
ここで、正常運転時において、加圧行程から吸入行程へ移行した瞬間に着目してみる。
プランジャ２が下降運動を開始すると、加圧室１１および中間室２１０の圧力は低下を始めるが、中間室２１０の圧力降下は加圧室１１の圧力降下より遅い。これは、中間室２１０と加圧室１１の間には存在する隙間２１１の影響である。加圧室１１の圧力が降下すると、中間室２１０内の燃料の一部が隙間２１１を通って加圧室１１側へ移動し、中間室の圧力が低下する。前述の通り、隙間２１１は、燃料が流れる際に絞り効果が発生する程度に小さいので、この絞り効果の影響で中間室２１０と加圧室１１の間に差圧が発生し、バルブ部材２０２およびバルブホルダ２０３には開弁方向に力が発生する。【００５９】
この時にバルブ部材２０２とバルブホルダ２０３に負荷される力を下記する。  
（１）リリーフばね２０４による力  ：  閉弁方向  
（２）燃料吐出口１２と中間室２１０の差圧による力  ：  開弁方向  
（３）中間室２１０とリリーフばね室２１２の差圧による力  ：  開弁方向  
前述した、隙間２１１によって発生する力は（３）である。  
正常運転においては、リリーフバルブ２００は開弁してはならず、その時の条件は下記となる。  (1)  ＞  （２）  ＋  （３）  本不等式が成立するためには、（３）が十分小さい必要がある。
【００６０】
内燃機関の駆動回転速度が小さいときは、プランジャ２の運動速度も小さいので隙間２１１を通過する燃料速度も小さい。よって絞り効果も小さく（３）は十分小さいので問題とはならない。  
内燃機関の駆動回転速度が大きいときは、プランジャ２の運動速度も大きいので隙間２１１を通過する燃料速度も大きい。よって、絞り効果も大きく（３）の値が大きい為に上記の不等式が成立しないという問題があることを発明者らは鋭意検討の末、突き止めた。
【００６１】
そして、この問題を解決する方法は二つあることが分かった。  
一つ目は、隙間２１１の流路断面積を大きくすることで絞り効果を小さくするという方法である。このようにする事で、中間室２１１と加圧室１１の差圧を小さく出来る。しかし一方、異常高圧が発生した際のリリーフ効果が小さくなってしまう。【００６２】
もう一つは中間室２１０の体積を小さくするという方法である。中間室２１０から加圧室１１へと隙間２１１を通過する燃料体積に変化は無いが、中間室２１０の体積が小さいので圧力の降下速度は大きい。異常高圧が発生した際のリリーフ効果には影響は無い。すなわち、この方法によれば、正常運転においてリリーフバルブ２００が開弁するのを抑制し、かつ、異常高圧におけるリリーフ効果を得ることが可能となる。【００６３】
ここで、後者の中間室２１０の体積を小さくするための本実施例の構成について説明する。  
本実施例においては、バルブはボールバルブとなっており、バルブホルダとは別体となっている。ボールバルブを採用する利点としては、低コスト・高精度（真球度）が挙げられる。バルブ部材２０２はシート部２０１ａと接触して燃料をシールする機能があるので、その精度は高いほど良い。【００６４】
以上のようなボール式のバルブ部材２０２において中間室２１０を小さくするために、バルブホルダ２０３に円筒形状であるバルブガイド部２０３ａを設け、バルブガイド部２０３ａはボール型のバルブ部材２０２の中心よりもシート部２０１ａ側に突出する構造とし、バルブホルダ２０３の端面２０３ｂがリリーフボディ２０１の端面２０１ｂと対面して隙間を構成し、この隙間を中間室２１０となる構成とした。【００６５】
すなわち、シート部２０１ａを有するシート部材であるリリーフボディ２０１と、シート部材（リリーフボディ２０１）の内壁面（リリーフボディ端面２０１ｂ）に対向する端面２０３ｂを有し、端面２０３ｂとシート部材（リリーフボディ２０１）の内壁面（リリーフボディ端面２０１ｂ）との間に隙間が形成されるバルブホルダ２０３とを備える。なお、このバルブホルダ２０３はばねストッパと反対側にリリーフばね２０４を受けているため、ばね受け部材と呼んでも良い。【００６６】
また、ばね受け部材（バルブホルダ２０３）とシート部２０１ａとの間に形成されたバルブ部材２０２と、ばね受け部材（バルブホルダ２０３）を端面２０３ｂと反対側からシート部２０１ａの側に押し付けることでバルブ部材２０２をシート部２０１ａに押し付けるばね部材であるリリーフばね２０４と、を備える。そしてばね受け部材（バルブホルダ２０３）の端面２０３ｂはバルブ部材２０２の重心よりもシート部２０１ａの側に配置されるようにしたものである。【００６７】
より具体的にはバルブ保持部材の端面と前記シート部材の内壁面との間の隙間は小さければ小さい程、その効果が得られることを確認しており、０．４ｍｍ以下に形成されることが望ましい。別の言い方をすると、ばね受け部材（バルブホルダ２０３）の端面２０３ｂはボールバルブ２０２の中心よりもシート部２０１ａの側に配置される。あるいは、ボールバルブ２０２の最もばね受け部材（バルブホルダ２０３）に近い部位をボールバルブ２０２の最外周部とすると、ばね受け部材（バルブホルダ２０３）の端面２０３ｂがボールバルブ２０２の最外周部よりシート部の側に位置する。【００６８】
これにより中間室２１０の体積を十分に小さくすることができた。その結果として、吐出行程が終了して吸入行程に移行する過程において中間室２１０内の圧力降下と加圧室１１内の圧力降下の差に発生した圧力差によって、リリーフバルブ２００が開弁状態になってしまう問題を解決することが出来た。【００６９】
すなわち、吸入行程において、加圧室内の圧力が中間室内の圧力よりも小さくなり、その差圧によってリリーフバルブが予期しないタイミングで開弁してしまい、リリーフバルブが開弁してしまう。そのため高圧配管の燃料圧力が開放されてしまい、燃料の正常な高圧吐出が不可能になってしまうという問題があったが、本実施例によればこの問題を解決することが出来る。【００７０】
本実施例では、図５、６に示すようにばね受け部材（バルブホルダ２０３）の内周面部のバルブ部材２０２との対面部位に、バルブ部材２０２を案内するバルブガイド部２０３ａが形成される。このバルブガイド部２０３ａはリリーフばね２０４の移動方向（伸縮方向）と略平行な直線部を有することが望ましい。換言すると、バルブガイド部２０３ａはばね部材の移動方向と沿うように略円筒部が形成されることが望ましい。またバルブガイド部２０３ａは、直線部からシート部２０１ａと反対側の中央側に傾斜する傾斜部を有することが望ましい。【００７１】
そして、本実施例ではバルブ部材２０２とばね受け部材（バルブホルダ２０３）とは別体であり、図５に示すようにばね受け部材（バルブホルダ２０３）は、リリーフばね２０４の移動方向においてバルブ部材２０２の半径より大きく重なるように配置される。【００７２】
以上に説明したように本実施例の高圧燃料供給ポンプは、加圧室１１の吸入側に配置される吸入弁機構（電磁吸入弁３００）と、加圧室１１の吐出側に配置される吐出弁機構８と、吐出弁機構８の吐出側の吐出流路の燃料の圧力が所定値以上になった場合に、この吐出流路の燃料を加圧室１１に、又は低圧燃料流路に戻すリリーフ弁機構（リリーフバルブ２００）と、を備えている。そして、このリリーフ弁機構として本実施例のバルブ機構を採用したものである。【００７３】
つまり、本実施例のバルブガイド部２０３ａは加圧室１１又は低圧燃料流路と、吐出弁機構８の吐出側の吐出流路との間に配置される。さらにバルブガイド部２０３ａはばね部材であるリリーフばね２０４の移動方向と沿うように略円筒部略が形成される。【００７４】
異常高圧燃料をリリーフする際にボール型のバルブ部材２０２は大きく変位するが、その時にバルブ部材２０２がボール型であるためにバルブホルダ２０３より外れてしまい、動作が不安定になると言った問題が従来あった。これに対して上記した本実施例の構造を採用することにより、バルブ部材２０２がバルブホルダ２０３から外れることなく、動作を安定させることが可能となる。
【実施例２】
【００７５】
本発明の実施例２について図９を用いて説明する。【００７６】
本実施例ではリリーフボディ２０１とは別の部材でシート部材２０６を設けた。シート部材２０６はリリーフボディ２０１の内周側に、かつ、バルブ保持部材２０３に対してリリーフばね２０４と反対側に配置したものである。実施例１におけるリリーフボディ２０１の端面２０１ｂは、本実施例ではこのシート部材２０６に形成される。また中間室２１０はシート部材２０６とバルブ保持部材２０３の内壁面２０３ａとが対面して隙間を構成することで形成される。【００７７】
その他の点については実施例１と同様であるため、詳細な説明は省略する。このような構造とすることにより、シート部２０１ａを加工しやすくなり、低コスト化を実現できる。それ以外の効果も実施例１と同様のものを得ることが出来る。
【実施例３】
【００７８】
本発明の実施例３について図１０を用いて説明する。【００７９】
本実施例では、バルブ部材２０２とばね受け部材２０３を一体の部材として構成した点が第一実施例と異なる。その他の点については実施例１と同様であるため、詳細な説明は省略する。【００８０】
このような構造とすることにより、バルブ部材２０２のあばれを防ぐことが出来、部品点数削減によりコスト削減を図ることが可能となる。それ以外の効果も実施例１と同様のものを得ることが出来る。
【符号の説明】
【００８１】
１  ポンプ本体
２  プランジャ
６  シリンダ
７  シールホルダ
８  吐出弁機構
９  圧力脈動低減機構
１０ａ  低圧燃料吸入口
１１  加圧室
１２  燃料吐出口
１３  プランジャシール
３０  吸入弁
４０  ロッド付勢ばね
４３  電磁コイル
１００  圧力脈動伝播防止機構
１０１  弁シート
１０２  弁
１０３  ばね
１０４  ばねストッパ
２００  リリーフバルブ
２０１  リリーフボディ
２０２  バルブホルダ
２０３  リリーフばね
２０４  ばねストッパ
３００  電磁吸入弁
【図１】
0006572241.tif 000002
【図２】
0006572241.tif 000003
【図３】
0006572241.tif 000004
【図４】
0006572241.tif 000005
【図５】
0006572241.tif 000006
【図６】
0006572241.tif 000007
【図７】
0006572241.tif 000008
【図８】
0006572241.tif 000009
【図９】
0006572241.tif 000010
【図１０】
0006572241.tif 000011